(57)【要約】【課題】  浴槽の設置形態が階上設置や階下設置であっても、正確かつ確実な水位検出が可能となる上に、そのような水位検出を容易に実現し得る風呂装置を提供する。【解決手段】  追焚循環路３２に対し、二次熱交換器２４，３４で発生したドレンを導出可能にする一方、浴槽８近傍位置の往き配管３５ｂに、流路を排水側に切換可能な三方切換弁６１を内蔵したドレン排水ユニット６を介装可能とする。ドレン排水ユニット６内の流路に、圧力検出により浴槽８内の水位を検出するための水位センサ６３を設ける。【選択図】図１
2017009225.tif 000002
【特許請求の範囲】
【請求項１】
装置本体と、ドレン排水ユニットとを備え、前記装置本体は、潜熱回収用の熱交換器と、加熱源と、浴槽と接続されることにより浴槽内の浴槽水を前記加熱源との間で循環供給させて追焚するための追焚循環回路と、前記潜熱回収用の熱交換器で発生したドレンを集水して前記追焚循環回路に導出させるためのドレン導出路とを備え、前記ドレン排水ユニットは、前記追焚循環回路に接続されて前記装置本体と浴槽とを接続するための追焚用配管に対し前記浴槽の近傍位置に介装され、前記追焚用配管を前記浴槽と装置本体との間で連通させる通常状態と、前記ドレン導出路から追焚循環回路に導出されたドレンを外部に排水する排水状態とに流路切換可能な流路切換部を備えて構成されている風呂装置において、
前記ドレン排水ユニットは、流路内の水圧検出により前記浴槽内の水位を検出可能な水位センサを備えて構成されている、ことを特徴とする風呂装置。
【請求項２】
請求項１に記載の風呂装置であって、
前記ドレン排水ユニットは、前記装置本体側に続く追焚用配管に接続可能な第１接続路と、前記浴槽側に続く追焚用配管に接続可能な第２接続路と、外部への排水側に連通可能な第３接続路とを備え、前記水位センサは前記第１接続路に介装されている、風呂装置。
【請求項３】
請求項２に記載の風呂装置であって、
前記装置本体は作動制御を行うための制御手段を備え、前記水位センサは検出した出力信号を前記制御手段に対し送信可能に前記制御手段と接続されている、風呂装置。
【発明の詳細な説明】
【技術分野】
【０００１】
本発明は、燃焼排ガスの潜熱をも回収するという高効率型の熱源機を熱源とする風呂装置に関し、特に浴室のドレン排水口にドレンを排水するためのドレン排水ユニットを備えた風呂装置に係る。
【背景技術】
【０００２】
従来、燃焼排ガスから潜熱を回収する際にドレンが発生するため、このドレンを如何に排水するかについて種々工夫が加えられてきた。特許文献１には、潜熱回収用の熱交換器で発生したドレンを、浴槽内の浴槽水を追焚するための追焚配管を利用して浴槽内に排水することが提案されている。又、特許文献２には、追焚配管を利用するものの、浴槽内には排水せずに、浴槽の手前位置から分岐して浴室の排水口に排水可能とすることが提案されている。このために、三方切換弁を内蔵したドレン排水ユニットを風呂装置とは別に用意し、このドレン排水ユニットを浴槽近傍位置の追焚配管に介装し、三方切換弁を排水側に切換制御することで追焚配管に流されたドレンを外部に導き、浴室内の排水設備（例えばユニットバスの防水パンや、その排水口）に排水させるようにしている。
一方、特許文献１又は２の風呂装置では、浴槽内の水位を検出するための水位センサが風呂装置の内部に設置されており、この水位センサは、追焚循環回路内の水圧を検出することにより、風呂装置とは離れた位置にある浴槽内の水位を検出可能とされている。
【先行技術文献】
【特許文献】
【０００３】
【特許文献１】特許第３８０１８８５号公報
【特許文献２】特開２０１４−４４０３３号公報
【発明の概要】
【発明が解決しようとする課題】
【０００４】
ところで、風呂装置と浴槽との設置形態には種々のものがあり、例えば、風呂装置は１階部分に設置される一方、浴槽は２階部分に設置されるという階上設置や、逆に浴槽が風呂装置よりも下位のフロアに設置されるという階下設置等がある。図６にその例を示すように、風呂装置１０１と浴槽８とが同じフロアに設置される場合（同図の実線参照）の両者の高低差を±０ｍであるとすれば、階上設置の場合（同図の一点鎖線参照）にはその高低差は＋７ｍ、階下設置の場合（同図の二点鎖線参照）にはその高低差は−５ｍにも及ぶことがある。この例であると、階上設置と階下設置との間には合計１２ｍもの高低差が生じることになる。このような種々の設置形態に対して、同一仕様の風呂装置を用いて組み合わせることになる。この場合には、風呂装置１０１に内装されて、圧力検出により浴槽８内の水位を検出する方式を採用する水位センサ１０３において、特にその検出精度が問題となる。すなわち、図６の例であると、階上設置と階下設置との間で１２ｍもの大きい水頭差範囲にある浴槽内の水圧を検出する場合、一般的なマイコンで処理すると、検出精度としては、数１０ｍｍが限界となってしまうことになる。そこで、Ｖｒｅｆ回路を搭載し、圧力検出式の水位センサに対しＶｒｅｆ回路から浴槽の設置高さに応じた最適な基準参照電圧Ｖｒｅｆを出力することにより、測定レンジを浴槽設置高さに応じたものに変更することが行われている。これにより、水位の検出精度を例えば水位１ｍｍまで高めるようにされている。
【０００５】
しかしながら、Ｖｒｅｆ回路を別途搭載することは、コスト増大を伴うことになる。又、階上設置や階下設置の場合には、浴槽８までの追焚配管１０２の配管長がより長くなることや、循環ポンプによる循環作動の際に水頭差等の影響により、追焚循環回路内にエア混入が発生するおそれが増大する。エア混入が発生すると、そのエア混入に起因して水位検出値にずれが生じるおそれがある。このため、風呂装置１０１内に設けた水位センサ１０３により階上又は階下設置の浴槽８内の水位を検出する場合には、たとえＶｒｅｆ回路を搭載して水位センサ１０３の検出精度を向上させたとしても、正確な水位検出が困難になる場合も生じることになる。その一方、浴槽に対し水位検出のためのセンサを個別に設置し、そのセンサからの検出信号を風呂装置のコントローラに出力させるように現場毎に対応するという対策では、作業の手間とコストの点で現実的ではない。
【０００６】
本発明は、このような事情に鑑みてなされたものであり、その目的とするところは、浴槽の設置形態が階上設置や階下設置であっても、正確かつ確実な水位検出が可能となる上に、そのような水位検出を容易に実現し得る風呂装置を提供することにある。
【課題を解決するための手段】
【０００７】
前記目的を達成するために、風呂装置を対象にして次の技術的手段を講じた。
【０００８】
装置本体と、ドレン排水ユニットとを備え、前記装置本体は、潜熱回収用の熱交換器と、加熱源と、浴槽と接続されることにより浴槽内の浴槽水を前記加熱源との間で循環供給させて追焚するための追焚循環回路と、前記潜熱回収用の熱交換器で発生したドレンを集水して前記追焚循環回路に導出させるためのドレン導出路とを備え、前記ドレン排水ユニットは、前記追焚循環回路に接続されて前記装置本体と浴槽とを接続するための追焚用配管に対し前記浴槽の近傍位置に介装され、前記追焚用配管を前記浴槽と装置本体との間で連通させる通常状態と、前記ドレン導出路から追焚循環回路に導出されたドレンを外部に排水する排水状態とに流路切換可能な流路切換部を備えて構成されている風呂装置において、前記ドレン排水ユニットとして、流路内の水圧検出により前記浴槽内の水位を検出可能な水位センサを備えたものに構成した（請求項１）。
【０００９】
この発明の場合、ドレン排水ユニットが浴槽に付随して設置されるため、浴槽が階上設置されればドレン排水ユニットも浴槽に付随して同じ階上に設置され、あるいは、浴槽が階下設置されればドレン排水ユニットも浴槽に付随して同じ階下に設置されることになる。そして、そのドレン排水ユニットには内部に水位センサが設置されているため、浴槽の設置形態が階上設置・階下設置の如何に拘わらず、浴槽とほぼ同じレベル位置で水位センサによる水位検出が可能となる。このため、例えば測定レンジ変更のためのＶｒｅｆ回路を付設しなくても、浴槽内の水位を検出精度良く正確に検出することが可能になるとともに、Ｖｒｅｆ回路の付設を省略することによりコスト削減を図り得る。さらに、ドレン排水ユニットの側に水位センサを設けているため、装置本体の側に水位センサを設ける必要がなく、水位センサ付きの装置本体と、水位センサ無しの装置本体の２種類の製品を製造・在庫する必要もなくなる結果、製造ラインの削減や、在庫管理の煩雑さの解消を図ることが可能となる。
【００１０】
本発明の風呂装置において、ドレン排水ユニットとして、装置本体側に続く追焚用配管に接続可能な第１接続路と、前記浴槽側に続く追焚用配管に接続可能な第２接続路と、外部への排水側に連通可能な第３接続路とを備え、水位センサを第１接続路に介装するようにすることができる（請求項２）。このようにすることにより、装置本体とドレン排水ユニットを現場に設置して試運転する場合に、配管の誤接続を容易に発見し得るようになる。すなわち、試運転によりドレン排水運転を実行すれば、本来であれば排水対象のドレンの水圧を受けて水位センサからは対応する出力が得られる筈であるため、このような出力の有無により、正常に配管接続されているか、誤接続が発生しているかの判定を確実に行うことが可能となる。
【００１１】
本発明の風呂装置において、装置本体に作動制御を行うための制御手段を備え、水位センサを、制御手段と接続して検出した出力信号を制御手段に対し送信可能にすることができる（請求項３）。このようにすることにより、装置本体の側でドレン排水ユニットの水位センサから得られる浴槽の水位情報に基づいて各種制御を実行し得るようになる。
【発明の効果】
【００１２】
以上、説明したように、本発明の風呂装置によれば、ドレン排水ユニットが浴槽に付随して設置されるため、浴槽が階上設置されればドレン排水ユニットも浴槽に付随して同じ階上に設置され、あるいは、浴槽が階下設置されればドレン排水ユニットも浴槽に付随して同じ階下に設置されることになる。そして、そのドレン排水ユニットには内部に水位センサを設置しているため、浴槽の設置形態が階上設置・階下設置の如何に拘わらず、浴槽とほぼ同じレベル位置で水位センサによる水位検出をすることができるようになる。このため、例えば測定レンジ変更のためのＶｒｅｆ回路を付設しなくても、浴槽内の水位を検出精度良く正確に検出することができるとともに、Ｖｒｅｆ回路の付設を省略することによりコスト削減を図ることができる。さらに、ドレン排水ユニットの側に水位センサを設けているため、装置本体の側に水位センサを設ける必要がなく、水位センサ付きの装置本体と、水位センサ無しの装置本体の２種類の製品を製造・在庫する必要もなくなる結果、製造ラインの削減や、在庫管理の煩雑さの解消を図ることができるようになる。
【００１３】
請求項２の風呂装置によれば、ドレン排水ユニットとして、装置本体側に続く追焚用配管に接続可能な第１接続路と、前記浴槽側に続く追焚用配管に接続可能な第２接続路と、外部への排水側に連通可能な第３接続路とを備え、水位センサを第１接続路に介装するようにすることにより、装置本体とドレン排水ユニットを現場に設置して試運転する場合に、配管の誤接続を容易に発見することができるようになる。すなわち、試運転によりドレン排水運転を実行すれば、本来であれば排水対象のドレンの水圧を受けて水位センサからは対応する出力が得られる筈であるため、このような出力の有無により、正常に配管接続されているか、誤接続が発生しているかの判定を確実に行うことができるようになる。
【００１４】
又、請求項３の風呂装置によれば、装置本体に作動制御を行うための制御手段を備え、水位センサを、制御手段と接続して検出した出力信号を制御手段に対し送信可能にすることにより、装置本体の側で、ドレン排水ユニットの水位センサから得られる浴槽の水位情報に基づいて各種制御を実行することができるようになる。
【図面の簡単な説明】
【００１５】
【図１】本発明の実施形態に係る風呂装置の模式図である。
【図２】本実施形態の風呂装置を住宅内の浴槽に適用した例を示す断面説明図である。
【図３】図１の追焚循環路の戻り路の部分拡大図であり、図３（ａ）は流路をドレン排水状態に切換制御した状態を示し、図３（ｂ）は流路をドレン排水後の洗浄状態に切換制御した状態を示している。
【図４】図１のドレン排水ユニットの部分拡大図であり、図４（ａ）は流路を往き配管が連通するように切換制御した状態を示し、図４（ｂ）は図４（ａ）の状態から流路を排水側に切換制御した状態を示している。
【図５】本実施形態の風呂装置を階上設置又は階下設置の浴槽に組み合わせた状態を示す説明図である。
【図６】本発明の課題を説明するために、階上設置又は階下設置の浴槽と風呂装置とを組み合わせた例を示す図５対応の説明図である。
【発明を実施するための形態】
【００１６】
以下、本発明の実施形態を図面に基づいて説明する。
【００１７】
図１は、本発明の実施形態に係る風呂装置を示す。この風呂装置は、ふろの追焚機能に加え、給湯機能及びふろ湯張り機能の各機能を併有する複合熱源機型に構成されたものであり、しかも、燃焼ガスの顕熱に加え燃焼排ガスから潜熱をも回収することにより高効率化を図る高効率タイプに構成されたものである。なお、本発明を実施する上では、少なくとも燃焼排ガスから潜熱を回収するための二次熱交換器と、ふろの追焚循環路とを併設した風呂装置であれば適用することができる。
【００１８】
同図において、符号２は給湯機能を実現するための給湯回路、３はふろ追焚機能を実現するための追焚循環回路、４はふろ湯張り機能を実現するための注湯回路、５は潜熱回収用の二次熱交換器２４，３４で発生するドレンを中和及び浄化の各処理を行うドレン処理回路、６は浴槽８近傍位置の追焚循環回路３に付設されてドレン排水のための流路切換を行うドレン排水ユニット、７はこれらの作動制御を行う制御手段としてのコントローラである。そして、給湯回路２等の各種回路２，３，４，５及びコントローラ７をハウジング内に内蔵して一体化された装置本体１と、ドレン排水ユニット６とを用いて、住宅内に設置される浴槽８に適用されることになる。例えば図２に示すように、住宅等の建物（例えば集合住宅）のパイプシャフト等のスペースに装置本体１を設置する一方、ドレン排水ユニット６を浴室Ｂｒ内の浴槽８近傍位置に設置する。そして、浴槽８のアダプタ８１と装置本体１との間に追焚用配管（後述の戻り配管３５ａ及び往き配管３５ｂ）を配管・接続する。その際に、ドレン排水ユニット６を往き配管３５ｂの循環アダプタ８１直近位置に介装させるようにし、ドレン排水ユニット６の排水側からの排水延長管Ｐｄを浴室Ｂｒの排水設備、例えばユニットバスの防水パンの排水口Ｄｈまで延ばして配設することで、現場での設置が完了する。なお、図２中の符号７０は浴室リモコンであり、この浴室リモコン７０はコントローラ７と双方向に通信可能に接続されている。
【００１９】
図１に戻り、給湯回路２は、燃焼バーナ２０と、この燃焼バーナ２０の燃焼ガスの顕熱（燃焼熱）により入水を熱交換加熱する給湯用の一次熱交換器２１と、一次熱交換器２１を通過した後の燃焼排ガスから潜熱を回収するための二次熱交換器２４とを備えている。入水路２２からの入水は、先に二次熱交換器２４に通されるようになっており、二次熱交換器２４において燃焼排ガスからの潜熱回収により予熱された状態で一次熱交換器２１に入水されて主加熱されるようになっている。そして、所定温度まで加熱されて出湯路２３に出湯された湯が、台所や浴室等の給湯栓２５や注湯回路４などの所定の給湯箇所に給湯されるようになっている。前記の二次熱交換器２４や追焚循環回路３側の後述の二次熱交換器３４が潜熱回収用熱交換器を構成する。又、入水路２２には入水流量センサ２６や入水温度センサ２７等が介装され、出湯路２３には流量制御弁２８や給湯温度センサ２９が介装されている。
【００２０】
追焚循環回路３は、燃焼バーナ３０の燃焼ガスの顕熱により循環温水を熱交換加熱する追焚用一次熱交換器３１と、浴槽８との間で浴槽水を循環させて追焚させる追焚循環路３２と、追焚用循環ポンプ３３と、燃焼排ガスから潜熱を回収する追焚用二次熱交換器３４とを備えている。追焚循環路３２は、戻り路３２ａと往き路３２ｂとを備えており、戻り路３２ａの上流端接続口３２１に対し戻り配管３５ａの下流端が接続され、戻り配管３５ａの上流端が浴槽８に設置された循環アダプタ８１の吸い込み側に接続されている。又、往き路３２ｂの下流端接続口３２２に対し往き配管３５ｂの上流端が接続され、往き配管３５ｂの下流端が循環アダプタ８１の吐出側に接続されている。追焚循環路３２は、追焚用循環ポンプ３３の作動により浴槽からの浴槽水が戻り配管３５ａ及び戻り路３２ａを通して先に二次熱交換器３４に供給されて燃焼排ガスからの潜熱回収により予熱された後に一次熱交換器３１に供給され、一次熱交換器３１において追焚のために主加熱され、追焚加熱後の浴槽水が往き路３２ｂ及び往き配管３５ｂを通して浴槽８に送られるようになっている。循環ポンプ３３の下流側の戻り路３２ａには水流スイッチ３６が介装される一方、その戻り路３２ａの上流端接続口３２１の下流側位置には二方弁である開閉弁３７が介装されている。なお、前記の燃焼バーナ２０，３０は元ガス弁，ガス比例弁や燃焼能力切替弁を介装した燃料供給系からの燃料ガスの供給を受けて燃焼作動するようになっている。前記の一次熱交換器３１を備えたものによって加熱源が構成されている。
【００２１】
注湯回路４は、給湯回路２の出湯路２３から上流端が分岐して下流端が追焚循環路３２に合流された注湯路４１と、開閉切換により注湯の実行と遮断とを切換える注湯電磁弁や縁切り弁等がユニット化された注湯ユニット４２とを備えている。注湯回路４を用いた注湯運転の実行により出湯路２３の湯が注湯路４１，追焚循環路３２（配管３５ａ，３５ｂを含む）を経て浴槽８に注湯されて所定量の湯張りが行われるようになっている。
【００２２】
ドレン処理回路５は、二次熱交換器２４，３４において燃焼排ガスが潜熱回収のための熱交換により冷やされて凝縮することにより生じたドレンに対し、中和処理等の浄化のための改質処理を加えた上で排出するために設置された回路である。すなわち、ドレン処理回路５は、給湯用二次熱交換器２４や追焚用二次熱交換器３４からドレンを集水する集水パン５１と、集水されたドレンに対し中和処理を施す中和処理槽５２と、中和処理後のドレンを貯留するドレンタンク５３と、逆止弁５４を通してドレンタンク５３からドレンを追焚循環路３２（具体的には戻り路３２ａ）に導出させるドレン導出路５５とを備えている。ドレン導出路５５はその下流端が三方切換弁５６を介して追焚循環路３２に接続されている。三方切換弁５６は、常時は、ドレン導出路５５側が遮断され戻り路３２ａが連通状態とされている。そして、ドレン排水運転時には、図３（ａ）に示すように、三方切換弁５６をドレン導出路５５と戻り路３２ａの下流側（循環ポンプ３３の吸い込み側）とが連通するように切換制御し、かつ、開閉弁３７を閉切換制御して、ドレンをドレン導出路５５から戻り路３２ａの下流側に導出させ（図３（ａ）の破線の矢印参照）、以後、熱交換器３４，３１、往き路３２ｂ及び往き配管３５ｂを通してドレン排水ユニット６まで導出させ得るようになっている。なお、ドレン排水実行後は注湯路４１から清浄な湯水を導入してドレンが流れた流路を洗浄するための洗浄運転を行うようになっている。この洗浄運転時には、図３（ｂ）に示すように、三方切換弁５６をドレン導出路５５を遮断して戻り路３２ａの上下流側を連通させ、かつ、開閉弁３７を閉切換制御して、図３（ｂ）に破線の矢印で示すように注湯路４１から流入させた湯水を前記のドレンが流れた流路を通して流すようになっている。
【００２３】
ドレン排水ユニット６は、浴槽８の循環アダプタ８１近傍位置の追焚循環路３２（具体的には往き配管３５ｂの下流端側部分）に介装されたものであり、流路を切換えるための流路切換部としての三方切換弁６１と、後述のコントローラ７からの制御信号を受けて三方切換弁６１を駆動して切換制御を実行する内蔵コントローラ６２とを備え、これらをハウジング内に収容してユニット化したものである。三方切換弁６１は、通常時は、図４（ａ）に示すように往き配管３５ｂを浴槽８側と連通する連通状態にされる一方、ドレン排水時には図４（ｂ）に示すように往き配管３５ｂの上流側（往き路３２ｂ側）を排水側に連通させる排水状態に切換えられることになる。三方切換弁６１が排水状態に切換えられると、この三方切換弁６１の排水側が浴槽８が設置された浴室の浴室排水設備と連通され、三方切換弁６１を通して導出されたドレンが浴槽８を通さずに浴室排水設備から下水に排水されるようになっている。
【００２４】
ドレン排水ユニット６について、さらに詳細に説明すると、ドレン排水ユニット６は、内部に、往き配管３５ｂの上流側（往き路３２ｂの側）に連通接続される第１接続路６０ａと、往き配管３５ｂの下流側（循環アダプタ８１の側）に接続される第２接続路６０ｂと、排水側（例えば排水延長管Ｐｄ）に連通接続される第３接続路６０ｃとを備えている。前記の通常時の連通状態とは、第３接続路６０ｃ側を遮断して第１接続路６０ａと第２接続路６０ｂとを互いに連通させるように流路切換したものであり、又、前記の排水状態とは、第２接続路６０ｂの側を遮断して第１接続路６０ａと第３接続路６０ｃとを互いに連通させるように流路切換したものである。そして、第１接続路６０ａには圧力検出により浴槽８内の水位を検出するための水位センサ６３が介装されている。この水位センサ６３は第１接続路６０ａ内の水圧を検出し、その水圧に対応する出力信号を内蔵コントローラ６２を介してコントローラ７に送出し得るようになっている。内蔵コントローラ６２は、コントローラ７と浴室リモコン７０の間の通信線に接続されて、コントローラ７と双方向に通信可能で、かつ、コントローラ７から電源供給可能とされている。そして、内蔵コントローラ６２は、前記の如く、三方切換弁６１の制御信号を受けて切換制御を実行する他、三方切換弁６１の位置検出用のリミッタ信号をコントローラ７に送信したり、コントローラ７からの要求に応じて水位センサ６３の出力信号を送信したりするようになっている。なお、水位センサ６３の出力信号をコントローラ７に対し常時送信するようにすることもできる。
【００２５】
なお、水位センサ６３は、前記の第１接続路６０ａ以外にも第２接続路６０ｂに介装させるようにすることができる。この場合でも、浴槽８の水位検出機能の点においては、第１接続路６０ａに介装させる場合と同様である。又、以上のドレン排水ユニット６は、装置本体１との組み合わせにより風呂装置を構成することができる他、装置本体１のみで構成された既設置の風呂装置に対し後付けによって追加設置して組み合わせることもできる。この後付けの場合には、ドレン排水ユニット６の三方切換弁６１の流路切換に係る制御部分もドレン排水ユニット６の後付けに併せて追加されることになる。
【００２６】
コントローラ７は、浴室リモコン７０や他のリモコン（図示省略）からユーザ等による入力設定操作に基づき各種操作指令を受けて前記の各回路２，３，４，５やドレン排水ユニット６等の運転を制御するものであり、マイクロコンピュータやメモリ等を含んで構成されたものである。そして、前記コントローラ７は、給湯運転を制御する給湯運転制御部、湯張り運転を制御する湯張り運転制御部、追焚運転を制御する追焚運転制御部、ドレンの排水運転を制御するドレン排水運転制御部を基本部分として備える他、ドレン排水ユニット６の流路切換運転を制御する流路切換運転制御部を備えている。
【００２７】
各種作動制御について簡単に説明すると、給湯運転制御部による給湯運転制御は、給湯栓２５が開かれることにより最低作動流量以上の通水流量が流量センサ２６により検知されると、燃焼バーナ２０を燃焼作動制御して設定給湯温度になるように入水を加熱するようになっている。湯張り運転制御部による湯張り制御は、浴室リモコン７０等から湯張り指令が出力されると、注湯ユニット４２に内蔵された注湯弁を開き、出湯路２３から分岐供給される湯を追焚循環路３２を介して浴槽８まで所定量又は所定水位まで注湯するようになっている。又、追焚運転制御部による追焚制御は、循環ポンプ３３を作動させて浴槽水を循環させる一方、燃焼バーナ３０を燃焼作動制御して戻り配管３５ａ及び戻り路３２ａを通して熱交換器３４，３１まで供給された浴槽水を所定温度まで沸きあげた上で、往き路３２ｂ及び往き配管３５ｂを通して浴槽８に供給するようになっている。さらに、ドレン排水運転制御部によるドレン排水制御は、ドレンタンク５３に所定量以上の処理済みのドレンが貯まれば、追焚循環回路３での追焚運転が停止されているときなどのタイミングに、三方切換弁５６を前述の如く切換制御し、かつ、ドレン排水ユニット６の三方切換弁６１を排水状態に切換制御した上で循環ポンプ３３を作動させることにより、ドレンタンク５３内のドレンを追焚循環路３２に導出し、ドレン排水ユニット６から浴室排水設備を通して排水させるようになっている。そして、ドレンの排水が終了すれば、三方切換弁５６を戻り路３２ａ同士が連通する元の状態に切換制御し、併せて、ドレン排水ユニット６の三方切換弁６１を元の戻り配管３５ｂ同士が連通する通常状態に戻すように切換制御して、排水側を閉止する。
【００２８】
以上の本実施形態の場合には、このドレン排水ユニット６が浴槽８に付随するように設置されるため、例えば図５に示すように浴槽８が階上設置されれば、ドレン排水ユニット６も浴槽８に付随して同じ階上に設置され、あるいは、浴槽８が階下設置されれば、ドレン排水ユニット６も浴槽８に付随して同じ階下に設置されることになる。そして、そのドレン排水ユニット６には内部に水位センサ６３が設置されているため、浴槽８の設置形態が階上設置・階下設置の如何に拘わらず、浴槽８とほぼ同じレベル位置で水位センサ６３による水位検出が可能となる。このため、測定レンジ変更のためのＶｒｅｆ回路を付設しなくても、浴槽８内の水位を検出精度良く正確に検出することができるようになる。
【００２９】
ドレン排水ユニット６に水位センサ６３を内蔵させることは、Ｖｒｅｆ回路の省略に伴いコスト削減のみならず、装置本体１の製造及び在庫管理において特に大きなメリットを生じさせることになる。すなわち、従来は風呂装置１０１（図６参照）の内部に水位センサ１０３を設置した製品と、水位センサ１０３を設置しない製品とを用途等に応じて製造し、それぞれを在庫して管理するようにしていたところ、本実施形態によれば、水位センサを設置しない装置本体１の一種類のみを製造して在庫しておけば済むようになり、製造ラインの削減や、在庫管理の煩雑さの解消を図ることができるようになる。水位センサが不要な仕様については、水位センサ６３を設置しないドレン排水ユニットを在庫しておけば良いため、在庫のためのスペースも省略することができるようになる。
【００３０】
又、水位センサ６３を第１接続路６０ａに設置しているため、ドレン排水ユニット６を現場施工により設置した後の試運転において、配管の誤接続を容易に発見することができる。すなわち、ドレン排水ユニット６を接続した後に試運転によりドレン排水運転を実行すれば、本来であれば排水対象のドレンの水圧を受けて水位センサ６３からは対応する出力が得られる筈である。このような出力の有無により、正常に配管接続されているか、誤接続が発生しているかの判定を確実に行うことができるようになる。
【００３１】
さらに、潜熱回収用の熱交換器として、本実施形態では、２つの二次熱交換器２４，３４を備えているが、これに限らず、いずれか一方だけに備えるようにすることができる。必要機能や要求性能等によって一方の二次熱交換器２４又は３４を省略する仕様も考えられる一方、少なくとも一つの二次熱交換器の存在がドレン排水ユニット６を設置する上で前提になるからである。従って、特許請求の範囲における「潜熱回収用の熱交換器」とは二次熱交換器２４，３４の双方、あるいは、いずれか一方のもので構成されるものである。
【符号の説明】
【００３２】
１      装置本体
３      追焚循環回路
６      ドレン排水ユニット
７      コントローラ（制御手段）
８      浴槽
３１    一次熱交換器（加熱源）
２４，３４    二次熱交換器（潜熱回収用の熱交換器）
３５ｂ  往き配管（追焚用配管）
５５    ドレン導出路
６０ａ  第１接続路
６０ｂ  第２接続路
６０ｃ  第３接続路
６１    三方切換弁（流路切換部）
６３    水位センサ
【図１】
2017009225.tif 000003
【図２】
2017009225.tif 000004
【図３】
2017009225.tif 000005
【図４】
2017009225.tif 000006
【図５】
2017009225.tif 000007
【図６】
2017009225.tif 000008